(57)【要約】【課題】　携帯端末機のアンテナから放射された高周波信号の電力を検出し、該検出された電力値に基づいて携帯端末機の出力電力を一定且つ安定に制御することで、携帯端末機と移動通信システムとの通信感度及び通話品質を向上し得る携帯端末機の出力電力制御装置及びその方法を提供すること。【解決手段】　データ信号に対応する高周波信号の電力を増幅する電力増幅モジュール２３０と、該電力増幅モジュール２３０により電力が増幅された高周波信号を携帯端末機のアンテナ２２１を通して基地局に放射する伝送部２２０と、前記アンテナ２２１から放射された高周波信号の電力を検出し、該検出された電力値と予め設定された基準電力値との差値を補償する電力補償部２１０とを含み、携帯端末機の出力電力制御装置を構成する。【選択図】　図１
2004140835.tif 000002
【特許請求の範囲】
【請求項１】
　データ信号に対応する高周波信号の電力を増幅する電力増幅モジュールと、
　該電力増幅モジュールにより電力が増幅された高周波信号を携帯端末機のアンテナを通して基地局に放射する伝送部と、
　前記アンテナから放射された高周波信号の電力を検出し、該検出された電力値と予め設定された基準電力値との差値を補償する電力補償部と、を含み、
　前記電力増幅モジュールは、前記データ信号に対応する高周波信号の電力を増幅するための電力増幅率を前記差値に基づいて制御することを特徴とする携帯端末機の出力電力制御装置。
【請求項２】
　前記伝送部は、
　前記電力増幅モジュールにより増幅されて出力された電力を検出するカプラと、
　該カプラを通して出力された高周波信号を選択するアンテナスイッチと、
　該アンテナスイッチにより選択された高周波信号を無線送信するために前記アンテナに印加するモバイルスイッチと、
　該モバイルスイッチから出力された高周波信号を基地局に放射するアンテナと、を備えることを特徴とする請求項１に記載の携帯端末機の出力電力制御装置。
【請求項３】
　前記電力補償部は、
　前記アンテナから放射された高周波信号の出力電力を検出する帰還部と、
　前記アンテナから放射された高周波信号の電力レベルを一定に維持するために予め設定された基準電力値を発生する制御部と、
　前記帰還部により検出された電力値と前記制御部により発生された基準電力値とを比較し、該比較結果に対応する差値を自動電力制御信号として発生し、該発生された自動電力制御信号を前記電力増幅モジュールに出力する比較部と、を備えることを特徴とする請求項２に記載の携帯端末機の出力電力制御装置。
【請求項４】
　前記電力増幅モジュールは、
　前記自動電力制御信号に基づいて前記高周波発生源から印加された高周波信号の電力を増幅するための増幅率を増加又は減少させることで、前記アンテナから出力された高周波信号の電力を制御することを特徴とする請求項３に記載の携帯端末機の出力電力制御装置。
【請求項５】
　前記帰還部は、
　前記携帯端末機のアンテナと隣接して設置されることを特徴とする請求項３に記載の携帯端末機の出力電力制御装置。
【請求項６】
　前記電力増幅モジュールは、
　前記電力補償部により検出された電力値が前記予め設定された基準電力値より大きいと、前記データ信号に対応する高周波信号の電力を増幅するための増幅率を減少させ、前記電力補償部により検出された電力値が前記予め設定された基準電力値より小さいと、前記データ信号に対応する高周波信号の電力を増幅するための増幅率を増加させることを特徴とする請求項１に記載の携帯端末機の出力電力制御装置。
【請求項７】
　前記電力増幅モジュールは、
　前記増幅された電力値が前記予め設定された基準電力値より大きいと、前記データ信号に対応する高周波信号の電力を増幅するための増幅率を減少させ、前記増幅された電力値が前記予め設定された基準電力値より小さいと、前記データ信号に対応する高周波信号の電力を増幅するための増幅率を増加させることを特徴とする請求項１に記載の携帯端末機の出力電力制御装置。
【請求項８】
　データ信号に対応する高周波信号の電力を増幅する工程と、
　前記電力が増幅された高周波信号を携帯端末機のアンテナを通して基地局に放射する工程と、
　前記アンテナから放射された高周波信号の電力を検出する工程と、
　前記検出された電力値と予め設定された基準電力値との差値を補償する工程と、
を包含し、
　前記補償された値に基づいて、前記データ信号に対応する高周波信号の電力を増幅するための電力増幅率を制御することを包含することを特徴とする携帯端末機の出力電力制御方法。
【請求項９】
　前記電力増幅率を制御する工程は、
　前記補償された値に基づいて、前記データ信号に対応する高周波信号の電力を増幅するための電力増幅率を増加又は減少させることを特徴とする請求項８に記載の携帯端末機の出力電力制御方法。
【請求項１０】
　前記電力増幅率を制御する工程は、
　前記検出された電力値が前記予め設定された基準電力値より大きいと、前記電力増幅率を減少させ、前記検出された電力値が前記予め設定された基準電力値より小さいと、前記電力増幅率を増加させることを特徴とする請求項８に記載の携帯端末機の出力電力制御方法。
【請求項１１】
　前記電力を増幅する工程で増幅された電力値が前記予め設定された基準電力値より大きいと、前記データ信号に対応する高周波信号の電力を増幅するための増幅率を減少させ、前記増幅された電力値が前記予め設定された基準電力値より小さいと、前記データ信号に対応する高周波信号の電力を増幅するための増幅率を増加させる工程を更に行うことを特徴とする請求項８に記載の携帯端末機の出力電力制御方法。
【発明の詳細な説明】
【技術分野】
【０００１】
　本発明は、携帯端末機（Ｈａｎｄｈｅｌｄ　Ｔｅｒｍｉｎａｌ、Ｍｏｂｉｌｅ　Ｐｈｏｎｅ）に係るもので、詳しくは、携帯端末機の出力電力制御装置及びその方法に関するものである。
【背景技術】
【０００２】
　一般に、移動通信システム（ｍｏｂｉｌｅ　ｃｏｍｍｕｎｉｃａｔｉｏｎｓ　ｓｙｓｔｅｍ）は、使用者が携帯端末機を通して、いつどこでも直ちに相手と通信を行い得るようにした機器であって、前記携帯端末機は、該当するサービス領域の移動電話基地局（ｍｏｂｉｌｅ　ｂａｓｅ　ｓｔａｔｉｏｎ）と無線接続することで、移動する間にも通信状態を維持し得るようになっている。
【０００３】
　且つ、前記移動通信システムは、基地局を通して前記携帯端末機と無線接続され、前記携帯端末機の移動方向を実時間的に確認する。このとき、前記基地局は、携帯端末機との距離を確認して、前記携帯端末機との通信感度（Ｃｏｍｍｕｎｉｃａｔｉｏｎ　Ｓｅｎｓｉｔｉｖｉｔｙ）を一定に維持するが、前記携帯端末機は、前記通信感度を一定に維持するために、該携帯端末機のアンテナから出力された高周波信号の電力レベルを一定に維持しなければならない。
【０００４】
　以下、従来携帯端末機の出力電力制御装置に対し、図３に基づいて説明する。通常、前記携帯端末機の出力電力とは、前記携帯端末機のアンテナを通して基地局に放射（Ｒａｄｉａｔｉｏｎ）された高周波（Ｒａｄｉｏ　Ｆｒｅｑｕｅｎｃｙ）信号の電力を意味する。
【０００５】
　図３は従来携帯端末機の出力電力制御装置を示したブロック図で、図示されたように、従来携帯端末機の出力電力制御装置においては、送信しようとするデータ信号に対応する高周波信号を発生する高周波発生源（Ｒａｄｉｏ−Ｆｒｅｑｕｅｎｃｙ　ｇｅｎｅｒａｔｉｎｇ　ｓｏｕｒｃｅ）６と、該高周波発生源６により発生した高周波信号の電力を増幅する電力増幅モジュール（Ｐｏｗｅｒ　Ａｍｐｌｉｆｉｅｒ　Ｍｏｄｕｌｅ；ＰＡＭ）５と、該電力増幅モジュール５により増幅された電力を検出するカプラ（Ｃｏｕｐｌｅｒ）４と、該カプラ４から出力された高周波信号（例えば、ＴＸ　Ｓｉｇｎａｌ）又はアンテナ１から受信された受信信号（例えば、ＲＸ　Ｓｉｇｎａｌ）を選択するアンテナスイッチ３と、該アンテナスイッチ３により選択された高周波信号を前記アンテナ（ＡＮＴ）１に印加するモバイルスイッチ２と、前記アンテナ１を通して放射された高周波信号の電力を制御するための基準電力値を発生する制御部８と、該制御部８により発生された基準電力値と前記カプラ４から出力された高周波信号の電力値とを比較し、その比較結果に対応する差（Ｄｉｆｆｅｒｅｎｃｅ）値を前記電力増幅モジュール５に印加する比較器９と、を包含して構成されている。このとき、前記電力増幅モジュール５は、前記差値に基づいて前記高周波発生源６により発生された高周波信号の電力を増幅する。
【０００６】
　以下、従来携帯端末機の出力電力制御装置の動作に対して説明する。
【０００７】
　まず、前記高周波発生源６は、伝送しようとするデータ信号に対応する高周波信号を発生し、該発生された高周波信号を前記電力増幅モジュール５に印加する。
【０００８】
　次いで、該電力増幅モジュール５は、前記高周波発生源６から印加された高周波信号の電力を所定の増幅率で増幅し、該増幅された電力の高周波信号を前記カプラ４に出力する。このとき、前記所定増幅率は、前記比較器９から印加された差値によって決定されるが、前記所定増幅率とは、前記電力増幅モジュール５から出力された電力値が前記基準電力値と同様になるように、前記高周波発生源６により発生された高周波信号の電力を増幅するための比率を意味する。
【０００９】
　次いで、前記カプラ４は、前記電力増幅モジュール５から出力された高周波信号の電力を前記比較器９の非反転端子（＋）及びアンテナスイッチ３に印加する。
【００１０】
　次いで、該アンテナスイッチ３は、前記制御部８の制御信号によって前記カプラ４から印加された高周波信号を前記モバイルスイッチ２に印加し、前記アンテナから無線受信された受信信号を前記受信部７に印加する。
【００１１】
　次いで、前記モバイルスイッチ２は、前記アンテナスイッチ３から出力された高周波信号を前記アンテナ１を通して基地局に無線送信する。
【００１２】
　次いで、前記制御部８は、基準電力値を発生して前記比較器９の反転端子（−）に印加するが、このとき、前記基準電力値は、前記制御部８に予め設定された値であり、前記基準電力値に対応する電力を前記電力増幅モジュール５が発生する。
【００１３】
　次いで、前記比較器９は、前記制御部８から印加された基準電力値と前記カプラ４から印加された電力値とを比較し、該比較結果に対応する差値を自動電力制御（Ａｕｔｏ　Ｐｏｗｅｒ　Ｃｏｎｔｒｏｌ；以下、ＡＰＣと略称す）信号として前記電力増幅モジュール５に印加する。次いで、前記電力増幅モジュール５は、前記差値に基づいて前記カプラ４に印加された高周波信号の電力値が前記基準電力値と同様になるように、前記高周波発生源６により発生された高周波信号の電力増幅率を制御する。
【発明の開示】
【発明が解決しようとする課題】
【００１４】
　然るに、従来携帯端末機の出力電力制御装置においては、携帯端末機に取り付けられた付加装置や使用者の接触によって発生する電力損失（Ｌｏｓｓ）、前記携帯端末機内の各回路（モバイルスイッチ、アンテナスイッチ及びカプラ）で発生する電力損失並びに、前記アンテナ１とモバイルスイッチ２との不整合（Ｍｉｓｍａｔｃｈｉｎｇ）により発生される電力損失によって、携帯端末機のアンテナから放射された高周波信号の出力電力が不安定に発生するという不都合な点があった。
【００１５】
　又、従来携帯端末機においては、アンテナから出力電力が不安定に放射されるため、移動通信システムとの通信感度が低下して、通話品質が低下されるという不都合な点があった。
【００１６】
　本発明は、このような従来の課題に鑑みてなされたもので、携帯端末機のアンテナから放射された高周波信号の電力を検出し、該検出された電力値に基づいて携帯端末機の出力電力を一定且つ安定に制御することで、携帯端末機と移動通信システムとの通信感度及び通話品質を向上し得る携帯端末機の出力電力制御装置及びその方法を提供することを目的とする。
【課題を解決するための手段】
【００１７】
　本発明による携帯端末機の出力電力制御装置は、データ信号に対応する高周波信号の電力を増幅する電力増幅モジュールと、該電力増幅モジュールにより電力が増幅された高周波信号を携帯端末機のアンテナを通して基地局に放射する伝送部と、前記アンテナから放射された高周波信号の電力を検出し、該検出された電力値と予め設定された基準電力値との差値を補償する電力補償部とを含み、前記電力増幅モジュールは、前記データ信号に対応する高周波信号の電力を増幅するための電力増幅率を前記差値に基づいて制御することを特徴とし、それにより上記目的が達成される。
【００１８】
　前記伝送部は、前記電力増幅モジュールにより増幅されて出力された電力を検出するカプラと、該カプラを通して出力された高周波信号を選択するアンテナスイッチと、該アンテナスイッチにより選択された高周波信号を無線送信するために前記アンテナに印加するモバイルスイッチと、該モバイルスイッチから出力された高周波信号を基地局に放射するアンテナと、を備えることを特徴としてもよい。
【００１９】
　前記電力補償部は、前記アンテナから放射された高周波信号の出力電力を検出する帰還部と、前記アンテナから放射された高周波信号の電力レベルを一定に維持するために予め設定された基準電力値を発生する制御部と、前記帰還部により検出された電力値と前記制御部により発生された基準電力値とを比較し、該比較結果に対応する差値を自動電力制御信号として発生し、該発生された自動電力制御信号を前記電力増幅モジュールに出力する比較部と、を備えることを特徴としてもよい。
【００２０】
　前記電力増幅モジュールは、前記自動電力制御信号に基づいて前記高周波発生源から印加された高周波信号の電力を増幅するための増幅率を増加又は減少させることで、前記アンテナから出力された高周波信号の電力を制御することを特徴としてもよい。
【００２１】
　前記帰還部は、前記携帯端末機のアンテナと隣接して設置されることを特徴としてもよい。
【００２２】
　前記電力増幅モジュールは、前記電力補償部により検出された電力値が前記予め設定された基準電力値より大きいと、前記データ信号に対応する高周波信号の電力を増幅するための増幅率を減少させ、前記電力補償部により検出された電力値が前記予め設定された基準電力値より小さいと、前記データ信号に対応する高周波信号の電力を増幅するための増幅率を増加させることを特徴としてもよい。
【００２３】
　前記電力増幅モジュールは、前記増幅された電力値が前記予め設定された基準電力値より大きいと、前記データ信号に対応する高周波信号の電力を増幅するための増幅率を減少させ、前記増幅された電力値が前記予め設定された基準電力値より小さいと、前記データ信号に対応する高周波信号の電力を増幅するための増幅率を増加させることを特徴としてもよい。
【００２４】
　本発明による携帯端末機の出力電力制御方法は、データ信号に対応する高周波信号の電力を増幅する工程と、前記電力が増幅された高周波信号を携帯端末機のアンテナを通して基地局に放射する工程と、前記アンテナから放射された高周波信号の電力を検出する工程と、前記検出された電力値と予め設定された基準電力値との差値を補償する工程とを包含し、前記補償された値に基づいて、前記データ信号に対応する高周波信号の電力を増幅するための電力増幅率を制御することを包含することを特徴とし、それにより上記目的が達成される。
【００２５】
　前記電力増幅率を制御する工程は、前記補償された値に基づいて、前記データ信号に対応する高周波信号の電力を増幅するための電力増幅率を増加又は減少させることを特徴としてもよい。
【００２６】
　前記電力増幅率を制御する工程は、前記検出された電力値が前記予め設定された基準電力値より大きいと、前記電力増幅率を減少させ、前記検出された電力値が前記予め設定された基準電力値より小さいと、前記電力増幅率を増加させることを特徴としてもよい。
【００２７】
　前記電力を増幅する工程で増幅された電力値が前記予め設定された基準電力値より大きいと、前記データ信号に対応する高周波信号の電力を増幅するための増幅率を減少させ、前記増幅された電力値が前記予め設定された基準電力値より小さいと、前記データ信号に対応する高周波信号の電力を増幅するための増幅率を増加させる工程を更に行うことを特徴としてもよい。
【００２８】
　このような目的を達成するため、本発明に係る携帯端末機の出力電力制御装置においては、データ信号に対応する高周波信号の電力を増幅する電力増幅モジュールと、該電力増幅モジュールにより電力が増幅された高周波信号を携帯端末機のアンテナを通して基地局に放射する伝送部と、前記アンテナから放射された高周波信号の電力を検出し、該検出された電力値と予め設定された基準電力値との差値を補償する電力補償部と、を包含して構成されるが、このとき、前記電力増幅モジュールは、前記データ信号に対応する高周波信号の電力を増幅するための増幅率を前記差値に基づいて制御することを特徴とする。
【００２９】
　又、本発明に係る携帯端末機の出力電力制御方法においては、データ信号に対応する高周波信号の電力を増幅する工程と、前記電力が増幅された高周波信号を携帯端末機のアンテナを通して基地局に放射する工程と、前記アンテナから放射された高周波信号の電力を検出する工程と、前記検出された電力値と予め設定された基準電力値との差値を補償する工程と、前記補償された値に基づいて前記データ信号に対応する高周波信号の電力を増幅するための電力増幅率を制御する工程と、を順次行うことを特徴とする。
【発明の効果】
【００３０】
　本発明に係る携帯端末機の出力電力制御装置及びその方法においては、携帯端末機のアンテナから放射された高周波信号の電力を検出し、該検出された電力値に基づいて前記アンテナから放射された高周波信号の電力を一定且つ安定に制御することで、使用者の接触により発生する電力損失及び前記アンテナと携帯端末機のモバイルスイッチとの不整合によって発生する電力損失に関係なく、携帯端末機の通信感度を一定に維持し得るという効果がある。
【００３１】
　又、携帯端末機のアンテナから放射された高周波信号の電力を一定且つ安定に制御し、携帯端末機の通信感度を一定に維持することで、携帯端末機の通話品質を向上し得るという効果がある。
【発明を実施するための最良の形態】
【００３２】
　以下、本発明の実施の形態に対し、図面に基づいて説明する。
【００３３】
　図１は本発明に係る携帯端末機の出力電力制御装置を示したブロック図であって、前記出力電力とは、前記携帯端末機のアンテナを通して出力された高周波信号の電力をいう。
【００３４】
　図１に示したように、本発明に係る携帯端末機の出力電力制御装置においては、送信しようとするデータ信号に対応する高周波信号を発生する高周波発生源２４０と、該高周波発生源２４０により発生された高周波信号の電力（Ｐｏｗｅｒ）を所定増幅率で増幅する電力増幅モジュール２３０と、該電力増幅モジュール２３０により電力が増幅された高周波信号をアンテナ２２１を通して基地局（図示せず）に放射する伝送部２２０と、前記アンテナ２２１から放射された高周波信号の電力を検出し、該検出された電力値と予め設定された基準電力値との差値を補償する電力補償部２１０と、を包含して構成されるが、このとき、前記電力増幅モジュール２３０は、前記差値に基づいて前記データ信号に対応する高周波信号の電力の増幅率を増加又は減少させる。例えば、前記電力増幅モジュール２３０は、前記アンテナ２２１から放射された高周波信号の電力値が前記予め設定された基準電力値より大きいと、前記データ信号に対応する高周波信号の電力を増幅するための増幅率を減少させ、前記アンテナ２２１から放射された高周波信号の電力値が前記予め設定された基準電力値より小さいと、前記データ信号に対応する高周波信号の電力を増幅するための増幅率を増加させる。
【００３５】
　以下、前記伝送部２２０及び電力補償部２１０の構成に対して説明する。
【００３６】
　まず、前記伝送部２２０は、前記電力増幅モジュール２３０によって増幅されて出力された電力を検出するカプラ２２４と、該カプラ２２４を通して出力された高周波信号（例えば、ＴＸ　Ｓｉｇｎａｌ）を選択するか、又は前記アンテナ２２１から受信された受信信号（例えば、ＲＸ　Ｓｉｇｎａｌ）を受信部２５０に印加するアンテナスイッチ２２３と、該アンテナスイッチ２２３により選択された高周波信号を無線送信するためにアンテナ２２１に印加するモバイルスイッチ２２２と、該モバイルスイッチ２２２から出力された高周波信号を基地局に放射するアンテナ２２１と、から構成されている。
【００３７】
　且つ、前記電力補償部２１０は、前記アンテナ２２１から放射された高周波信号の出力電力を検出する帰還部２１１と、前記アンテナ２２１から放射された高周波信号の電力レベルを一定に維持するために予め設定された基準電力値を発生する制御部２１２と、前記帰還部２１１により検出された電力値と前記制御部２１２により発生された基準電力値とを比較し、該比較結果に対応する差値をＡＰＣ信号として発生し、該発生されたＡＰＣ信号を前記電力増幅モジュール２３０に出力する比較部２１３と、から構成されているが、このとき、前記電力増幅モジュール２３０は、前記ＡＰＣ信号に基づいて前記高周波発生源２４０から出力された高周波信号の電力を増幅するための増幅率を増加又は減少させることで、前記カプラ２２４に印加された高周波信号の電力を増加又は減少させる。
【００３８】
　以下、前記携帯端末機の出力電力制御装置の動作に対し、図２に基づいて説明する。
【００３９】
　図２は図１の帰還部２１１の位置を示した図であって、前記帰還部２１１は、前記携帯端末機のアンテナ２２１と隣接した部位に一体に構成することが好ましい。
【００４０】
　まず、前記高周波発生源２４０は、送信しようとするデータ信号（例えば、音声信号）に対応する高周波信号を発生し、該発生された高周波信号を前記電力増幅モジュール２３０に出力する。
【００４１】
　次いで、該電力増幅モジュール２３０は、前記高周波発生源２４０から出力された高周波信号の電力を所定増幅率で増幅し、該増幅された電力を有する高周波信号を前記カプラ２２４に出力する。このとき、前記所定増幅率は、前記カプラ２２４により検出された高周波信号電力値が前記予め設定された基準電力値より大きいと減少され、前記カプラ２２４により検出された高周波信号電力値が前記予め設定された基準電力値より小さいと増加される。
【００４２】
　次いで、前記カプラ２２４は、前記電力増幅モジュール２３０から出力された高周波信号の電力を検出し、前記制御部２１２の制御信号によって前記検出された電力値を比較部２１３に印加するが、このとき、前記カプラ２２４は、前記検出された電力を電圧に変換し、該変換された電圧を前記比較部２１３に出力することもできる。
【００４３】
　次いで、前記制御部２１２は前記基準電力値を発生し、該発生された基準電力値を前記比較部２１３に印加する。又、前記制御部２１２は、前記基準電力値に対応する基準電圧値を前記比較部２１３に出力することもできるが、このとき、前記基準電力値は、携帯端末機の電力増幅モジュール２３０から所定の電力を発生するために前記制御部２１２で予め設定される。即ち、前記予め設定された基準電力値は、前記電力増幅モジュール２３０から発生された電力値が前記アンテナ２２１から放射された高周波信号の出力電力値と同様になるように、前記電力増幅モジュール２３０の電力増幅率を制御するための値である。
【００４４】
　次いで、前記比較部２１３は、前記カプラ２２４により検出された電力値と前記制御部２１２から出力された基準電力値とを比較し、該比較結果に対応する差値を第１ＡＰＣ信号として前記電力増幅モジュール２３０に出力する。例えば、前記比較部２１３は、前記カプラ２２４により検出された電力値が前記制御部２１２から出力された基準電力値より大きいと、前記電力増幅モジュール２３０の電力増幅率を減少させるためのＡＰＣ信号を前記電力増幅モジュール２３０に出力し、前記カプラ２２４により検出された電力値が前記制御部２１２から出力された基準電力値より小さいと、前記電力増幅モジュール２３０の電力増幅率を増加させるためのＡＰＣ信号を該電力増幅モジュール２３０に出力する。
【００４５】
　次いで、該電力増幅モジュール２３０は、前記高周波発生源２４０から出力された電力値が前記基準電力値と同様になるように、前記第１ＡＰＣ信号に基づいて前記高周波発生源２４０から出力された高周波信号の電力を増幅するための増幅率を増加又は減少させる。例えば、前記電力増幅モジュール２３０は、前記カプラ２２４により検出された電力値が前記制御部２１２から出力された基準電力値より大きいと、前記高周波発生源２４０から出力された電力を増幅するための電力増幅率を減少させ、前記カプラ２２４により検出された電力値が前記制御部２１２から出力された基準電力値より小さいと、前記高周波発生源２４０から出力された電力を増幅するための電力増幅率を増加させる。よって、前記電力増幅モジュール２３０は、前記基準電力値に対応する電力を有する高周波信号を前記カプラ２２４に出力することができる。
【００４６】
　次いで、前記カプラ２２４は、前記電力増幅モジュール２３０から出力された高周波信号を前記アンテナスイッチ２２３に印加するが、このとき、前記カプラ２２４に印加された高周波信号の電力値は前記予め設定された基準電力値と同様である。
【００４７】
　次いで、前記アンテナスイッチ２２３は、前記制御部２１２の制御信号によって前記カプラ２２４を通して入力された高周波信号を前記モバイルスイッチ２２２を通して前記アンテナ２２１に印加する。且つ、前記アンテナスイッチ２２３は、前記制御部２１２の制御信号によって、前記モバイルスイッチ２２２を通して前記アンテナ２２１から受信された受信信号を前記受信部２５０に出力するが、このとき、前記アンテナ２２１から出力される、増幅された電力を有する高周波信号が基地局に放射されることで、前記携帯端末機と移動通信システムとは無線接続される。一方、前記受信部２５０は、基地局から受信された信号を処理する装置であって、本発明とは関係のない装置であるため、これに対する説明は省略する。
【００４８】
　その後、前記帰還部２１１は、前記制御部２１２の制御信号によって前記アンテナ２２１から放射された高周波信号の電力を検出し、該検出された電力値を前記比較部２１３に印加するが、このとき、前記帰還部２１１は、前記検出された電力を電圧に変換し、該変換された電圧を前記比較部２１３に出力することもできる。
【００４９】
　次いで、該比較部２１３は、前記帰還部２１１から印加された電力値と前記制御部２１２により発生された基準電力値とを比較し、前記比較結果に対応する差値を第２ＡＰＣ信号として前記電力増幅モジュール２３０に出力する。その反面、前記比較部２１３は、前記帰還部２１１から印加された電力値と前記基準電力値とが同様であると、第２ＡＰＣ信号を発生しない。即ち、本発明は、前記電力増幅モジュール２３０から出力された高周波信号の電力が使用者の接触又は携帯電話に取り付けられた付加装置により損失されるか、又はアンテナの不整合により損失されると、その損失された電力を補償することで、前記電力増幅モジュール２３０から出力された高周波信号の電力が前記アンテナ２２１を通して一定に基地局に放射されるようにする。
【００５０】
　その後、前記電力増幅モジュール２３０は、前記比較部２１３から出力された第２ＡＰＣ信号に基づいて、前記アンテナ２２１から放射された高周波信号の電力値が前記基準電力値と同様な値になるように、前記電力増幅モジュール２３０の電力増幅率を制御する。例えば、前記電力増幅モジュール２３０は、前記アンテナ２２１から放射された高周波信号の電力値が前記基準電力値より大きいと、前記アンテナ２２１から放射された高周波信号の電力値が前記基準電力値と同様になるように前記電力増幅率を減少させ、前記アンテナ２２１から放射された高周波信号の電力値が前記基準電力値より小さいと、前記電力増幅率を増加させる。
【００５１】
　従って、本発明は、前記携帯端末機内で損失された電力を補償するため、前記携帯端末機のアンテナ２２１から出力された高周波信号の電力レベルを一定に維持することができる。又、本発明は、携帯端末機のアンテナ２２１から放射された高周波信号の電力レベルを前記予め設定された基準電力値に正確且つ精密に調整し、携帯端末機の通信感度を一定に維持するため、携帯端末機の通話品質を向上することができる。
【００５２】
　以上説明したように、本発明に係る携帯端末機の出力電力制御装置及びその方法においては、携帯端末機のアンテナから放射された高周波信号の電力を検出し、該検出された電力値に基づいて前記アンテナから放射された高周波信号の電力を一定且つ安定に制御することで、使用者の接触により発生する電力損失及び前記アンテナと携帯端末機のモバイルスイッチとの不整合によって発生する電力損失に関係なく、携帯端末機の通信感度を一定に維持し得るという効果がある。
【００５３】
　又、携帯端末機のアンテナから放射された高周波信号の電力を一定且つ安定に制御し、携帯端末機の通信感度を一定に維持することで、携帯端末機の通話品質を向上し得るという効果がある。
【図面の簡単な説明】
【００５４】
【図１】本発明に係る携帯端末機の出力電力制御装置を示したブロック図である。
【図２】図１の帰還部の設定位置を示した説明図である。
【図３】従来携帯端末機の出力電力制御装置を示したブロック図である。
【符号の説明】
【００５５】
２１０　電力補償部
２１１　帰還部
２１２　制御部
２１３　比較部
２２０　伝送部
２２１　アンテナ
２２２　モバイルスイッチ
２２３　アンテナスイッチ
２２４　カプラ
２３０　電力増幅モジュール
２４０　高周波発生源
２５０　受信部
【図１】
2004140835.tif 000003
【図２】
2004140835.tif 000004
【図３】
2004140835.tif 000005